(57)【要約】【課題】主光源の調色制御のときに副光源を適切に制御できる照明装置を提供する。【解決手段】照明装置は、主光源、副光源および制御部を備える。主光源は、調色制御によって出射光に対する所定の色成分の光が含まれる割合が変化する。副光源は、主光源の所定の色成分を含む光を照射する。制御部は、主光源の調色制御のときに、主光源の所定の色成分の光が含まれる割合が所定値よりも小さい場合、副光源の所定の色成分の光の増減を主光源の所定の色成分の光の増減に準じる。制御部は、主光源の所定の色成分の光が含まれる割合が所定値よりも大きい場合、副光源の所定の色成分を減少させる。【選択図】図１
2020057632.tif 000002
【特許請求の範囲】
【請求項１】
天板および側板を有する器具本体と；
前記器具本体の中心に向けて傾斜するよう、前記器具本体の側面側に配設され、調色制御によって出射光に対する複数の色成分の光が含まれる割合が変化する光源と；
前記光源を調色制御する制御部と；
前記器具本体の下面側に配設され、前記光源から照射される光を拡散させる拡散カバーと；
を具備することを特徴とする照明装置。
【請求項２】
前記所定の色成分が２種以上あることを特徴とする請求項１に記載の照明装置。
【発明の詳細な説明】
【技術分野】
【０００１】
本発明の実施形態は、主光源および副光源を備えた照明装置に関する。
【背景技術】
【０００２】
従来、器具本体に白色光を発光する主光源と白色光とは異なる任意の色の光を発光する副光源とを設け、これら光源を拡散カバーで覆った照明装置がある。この照明装置では、拡散カバーの全体が均一の色および輝度となるように制御している。
【０００３】
また、主光源には例えば昼光色および電球色などの色成分の光を出力可能とし、主光源の調色ができるものがある。この主光源の調色時に、副光源の光によって違和感などが生じないように副光源を適切に制御する必要がある。
【先行技術文献】
【特許文献】
【０００４】
【特許文献１】特開２０１２−１８６１１８号公報
【発明の概要】
【発明が解決しようとする課題】
【０００５】
本発明が解決しようとする課題は、主光源の調色制御のときに副光源を適切に制御できる照明装置を提供することである。
【課題を解決するための手段】
【０００６】
実施形態の照明装置は、天板および側板を有する器具本体と；前記器具本体の中心に向けて傾斜するよう、前記器具本体の側面側に配設され、調色制御によって出射光に対する複数の色成分の光が含まれる割合が変化する光源と；前記光源を調色制御する制御部と；前記器具本体の下面側に配設され、前記光源から照射される光を拡散させる拡散カバーと；を具備する。
【発明の効果】
【０００７】
本発明によれば、光源の調色制御を適切に制御することが期待できる。
【図面の簡単な説明】
【０００８】
【図１】第１の実施形態を示す照明装置での相関色温度と光の強さとの関係を示す説明図である。
【図２】同上照明装置の断面図である。
【図３】同上照明装置の斜視図である。
【図４】同上照明装置の拡散カバーの斜視図である。
【図５】同上照明装置の点灯状態の斜視図である。
【図６】同上照明装置の制御部のブロック図である。
【図７】同上照明装置の用いた照明制御システムのブロック図である。
【図８】第２の実施形態を示す照明装置での相関色温度と光の強さとの関係を示す説明図である。
【図９】第３の実施形態を示す照明装置での相関色温度と光の強さとの関係を示す説明図である。
【図１０】第４の実施形態を示す照明装置での相関色温度と光の強さとの関係を示す説明図である。
【図１１】第５の実施形態を示す照明装置での相関色温度と光の強さとの関係を示す説明図である。
【図１２】第６の実施形態を示す照明装置での相関色温度と光の強さとの関係を示す説明図である。
【図１３】同上照明装置の用いた照明制御システムのブロック図である。
【発明を実施するための形態】
【０００９】
以下、第１の実施形態を、図１ないし図７を参照して説明する。
【００１０】
図５に示すように、照明装置10は、天井面11に形成された埋込孔に埋め込み設置される天井埋込形照明装置である。
【００１１】
図２および図３に照明装置10の構成を示す。照明装置10は、器具本体12、拡散カバー13、化粧枠14、主光源15および副光源16を備えている。
【００１２】
そして、器具本体12は、四角形箱状に形成されており、天板20、この天板20に沿った第１の方向ａで互いに対向する側板21、および第１の方向ａに直交する第２の方向ｂで互いに対向する側板22を有している。器具本体12の下面には、四角形状の照射開口23が形成されている。天板20および側板21，22の組み立てには本体枠24が用いられている。
【００１３】
天板20および側板21，22の内面は、例えば白色面などの反射率の高い反射面25に形成されている。
【００１４】
また、図２ないし図４に示すように、拡散カバー13は、透光性および光拡散性を有する例えば乳白色の樹脂材料を用い、例えば圧空成形法によって一体に形成されている。拡散カバー13は、一方の対向する辺を結ぶ湾曲方向（第１の方向ａ）に湾曲されるとともに他方の対向する辺を結ぶ幅方向（第２の方向ｂ）には直線状に形成されたカバー部13A、このカバー部13Aの湾曲方向（第１の方向ａ）に対して直交する幅方向（第２の方向ｂ）の両側面に設けられた側面部13B、これらカバー部13Aおよび側面部13Bの下端周辺部から外側方向に突設された縁部13Cを有している。拡散カバー13は、周辺部の縁部13Cが化粧枠14に嵌め込まれて取り付けられている。
【００１５】
拡散カバー13のカバー部13Aは、主光源15および副光源16からの光が照射されて発光する発光面13Dである。
【００１６】
化粧枠14に取り付けられた拡散カバー13は、照射開口23を覆って器具本体12に配設され、器具本体12の内側に向けて窪むように湾曲されている。
【００１７】
拡散カバー13（発光面13D）は、湾曲方向（第１の方向ａ）の中央領域13aおよびこの中央領域13aの両端の端部領域13bを有し、中央領域13aの頂部が器具本体12の中心に一致するように構成されている。
【００１８】
また、化粧枠14は、中央に四角形状の開口部28を有する四角形枠状に形成され、器具本体12の側板21，22の下端に取り付けられている。すなわち、化粧枠14は、器具本体12の照射開口23の周囲に設けられている。
【００１９】
化粧枠14は、四角形枠状に設けられた化粧板部29、およびこの化粧板部29の上面から立ち上げられて側板21，22に取り付けられる取付部30を備えている。
【００２０】
化粧板部29の外周側には、天井面11の埋込孔を覆って天井面11に対向される縁部31が設けられている。
【００２１】
第１の方向ａの化粧板部29の内側縁には、それぞれ化粧枠14の中央方向に向けて突出する対向部32が設けられている。対向部32は、拡散カバー13の端部領域13bの下面との間に間隙を設けて、拡散カバー13の端部領域13bの下面に対向されている。対向部32の上面は、例えば白色面などの反射率の高い反射面に形成されている。
【００２２】
本実施形態では、化粧枠14は、第１の方向ａの両側に位置する化粧板部29の幅が、第２の方向ｂの両側に位置する化粧板部29の幅よりも広く設けられている。なお、第２の方向ｂの化粧板部29の内側縁にも対向部32を設けて、化粧板部29の全周の幅を同じ幅としてもよい。
【００２３】
また、主光源15は、器具本体12内の第１の方向ａの両端部側の位置で、それぞれ第２の方向ｂに沿って設けられている。
【００２４】
主光源15は、調色制御が可能であって、所定の色成分の光を含み、例えば一般の照明光に用いられる昼光色、昼白色および電球色などの白色光が出射される。なお、主光源15としては白色光以外の光を出射できるように構成してもよい。本実施形態では、例えば、相関色温度が５０００Ｋの昼光色の光を発光する第１の主光源15a、および相関色温度が２７００Ｋの電球色の光を発光する第２の主光源15bを備えている。また、第２の主光源15bに比べて相関色温度が高い第１の主光源15aは、所定の色成分として青色が含まれる割合が高い。
【００２５】
主光源15には、発光モジュール35が用いられている。発光モジュール35は、基板36、およびこの基板36に実装された複数の発光素子37を備えている。基板36は、器具本体12の第２方向ｂに細長い長方形に形成され、表面に配線パターンが形成されている。複数の発光素子37は、基板36の配線パターン上に、基板36の幅方向の中央に１列または複数列で、基板36の長手方向に沿って所定の間隔をあけて実装されている。発光素子37には、例えば表面実装形のＬＥＤが用いられる。
【００２６】
第１の主光源15aの発光素子37と第２の主光源15bの発光素子37とは基板36の長手方向に沿って２列に配列され、あるいは、第１の主光源15aの発光素子37と第２の主光源15bの発光素子37とは基板36の長手方向に沿って交互に１列状に配列され、第１の主光源15aの発光素子37と第２の主光源15bの発光素子37とが独立して点灯制御できるようにそれぞれ電気的に接続されている。
【００２７】
発光素子37を用いた主光源15は、発光素子37の発光面の中心に垂直な方向であって配光ピークとなる光軸38を中心として例えば１２０°の範囲（図１の破線の範囲）に光を照射する。
【００２８】
主光源15は、取付部材39によって器具本体12の第１の方向ａの側板21の内面に取り付けられている。取付部材39によって、主光源15は、発光素子37の光軸38が、器具本体12の下面に対して拡散カバー13の中央領域13aの方向に向けて所定の角度θで傾斜するように取り付けられている。その所定の角度θは、発光素子37からの光が拡散カバー13の端部領域13bから中央領域13aに亘って照射されるように、例えば４５°に設定されている。
【００２９】
したがって、主光源15は、器具本体12内の第１の方向ａの両端部側にそれぞれ設けられ、拡散カバー13の端部領域13bから中央領域13aに亘って対向し、拡散カバー13の端部領域13bから中央領域13aに亘って光を照射する。そして、１つの主光源15の光束は例えば３０００lm程度で、照明装置10が備える２つの主光源15の合計の光束は６０００lm程度となっている。
【００３０】
なお、主光源15は、拡散カバー13の端部領域13bに光を均一に照射するために、光拡散性を有する光源カバーで覆うようにしてもよい。
【００３１】
また、副光源16は、器具本体12内の中央の位置で、第２の方向ｂに沿って設けられている。
【００３２】
副光源16は、主光源15が発光する光に含まれる所定の色光成分の光を発光する。副光源16が発光する色成分の光としては、例えば、青色や赤色のうちの１色またはそれらの２色、あるいは、赤色、緑色および青色の３色などの複数色の場合が含まれる。第１の実施形態では、副光源16は、青色の光を発光するものとする。
【００３３】
副光源16には、発光モジュール42が用いられている。発光モジュール42は、基板43、およびこの基板43に実装された複数の発光素子44を備えている。基板43は、器具本体12の第
２方向ｂに細長い長方形に形成され、表面に配線パターンが形成されている。複数の発光素子44は、基板43の配線パターン上に、基板43の幅方向の中央に１列または複数列で、基板43の長手方向に沿って所定の間隔をあけて実装されている。発光素子44には、例えば表面実装形のＬＥＤが用いられている。
【００３４】
発光素子44を用いた副光源16は、発光素子44の発光面の中心に垂直な方向であって配光ピークとなる光軸45を中心として例えば１２０°の範囲（図１の破線の範囲）に光を照射する。
【００３５】
副光源16は、発光素子44の光軸45が拡散カバー13の中央領域13aの頂部に垂直に対向するように、すなわち、発光素子44の光軸45が器具本体12の下面に対して垂直となるように、器具本体12の天板20の下面中央に取り付けられている。
【００３６】
したがって、副光源16は、器具本体12内の中央に設けられ、拡散カバー13の中央領域13aに対向し、拡散カバー13の中央領域13aに光を照射する。そして、副光源16の光束は、副光源16の光が青色光の場合には例えば２７０lm程度となっている。なお、照明装置10が主光源15からの光による主照明の機能を維持し、かつ副光源16からの光によって空間が変色することを抑制するためには、副光源16の光束は１つの主光源15の光束よりも小さく、例えば１／５以下、さらには１／７以下であることが好ましい。
【００３７】
なお、副光源16は、拡散カバー13の中央領域13aに光を均一に照射するために、光拡散性を有する光源カバーで覆うようにしてもよい。
【００３８】
また、図６に示すように、照明装置10は、主光源15および副光源16をそれぞれ点灯、消灯、および調光させる調光信号を出力する調光装置50を備えている。調光装置50は、主光源15の第１の主光源15aおよび第２の主光源15bのそれぞれに個別に電源を供給する主電源部51，51b、副光源16に電源を供給する副電源部52に、調光信号を入力して主光源15の第１の主光源15aおよび第２の主光源15bおよび副光源16をそれぞれ点灯・消灯および調光させる。調光装置50は制御部53を備え、制御部53により、第１の主光源15aおよび第２の主光源15bのそれぞれを個別に調光制御し、これによって主光源15を調色制御する。制御部53は、入力される調光信号に応じて副光源16の光の増減を制御する。なお、主電源部51a，51b、副光源16に電源を供給する副電源部52を調光装置50と一体的に設ける構成としてもよい。
【００３９】
また、図７に、複数の照明装置10を用いた照明制御システム60を示す。この照明制御システム60は、制御装置61、複数の照明装置10、およびこれら制御装置61と各照明装置10とをそれぞれ通信可能に接続する２系統の信号線62を備え、各系統はそれぞれ２線の調光線で構成されている。そして、制御装置61は、調光信号を各照明装置10に送り、各照明装置10を点灯、消灯、調光および調色させる。調光信号には、第１の主光源15aおよび第２の主光源15bのそれぞれの調光率の信号が含まれている。すなわち、２系統の信号線62，62のうち一方は第１の主光源15aの調光率、他方は第２の主光源15bの調光率に関する情報を伝送する。
【００４０】
次に、照明装置10の動作について説明する。
【００４１】
主光源15および副光源16にそれぞれ主電源部51a，51bおよび副電源部52から電源を供給することにより、主光源15および副光源16がそれぞれ点灯する。
【００４２】
主光源15からの光が拡散カバー13の端部領域13bから中央領域13aに照射され、副光源16からの光が拡散カバー13の中央領域13aに照射され、拡散カバー13の発光面13Dが光る。
【００４３】
この場合、図５に示すように、拡散カバー13の端部領域13bは主光源15からの光によって昼光色（または電球色）に光り、拡散カバー13の中央領域13aは副光源16からの光によって青色に光る。
【００４４】
拡散カバー13を透過した主光源15からの光が照明空間に照射される。この場合、主光源15が器具本体12の端部側に設けられ、主光源15の光軸38を照明装置10の中央方向に向けて傾斜させていることにより、埋込形の照明装置10であっても広い配光角の領域に主光源15からの光を照射することができる。
【００４５】
拡散カバー13の中央領域13aに照射される副光源16からの光は、その拡散カバー13の中央領域13aが青色に染まる程度の光束であるため、拡散カバー13の中央領域13aを透過して照明空間に照射される青色の光の光量は主光源15からの光に比べて少ない。
【００４６】
そのため、照明空間には、主として主光源15からの光が照射され、例えば読書や作業を行うのに適した照明環境となる。
【００４７】
また、拡散カバー13の中央領域13aには、主光源15からの光と副光源16からの光との両方が照射されるが、主光源15からの光の光量が拡散カバー13の端部領域13bから中央領域13aに向かうに従って徐々に少なくなるとともに、副光源16からの光の光量が拡散カバー13の中央領域13aの周辺から中央に向かうに従って徐々に多くなる。そのため、拡散カバー13の端部領域13bと中央領域13aとの間には、白色と青色との間で徐々に色が変わるグラデーション領域が形成される。そのため、照明装置10を見上げた際、拡散カバー13の色がグラデーション領域を介して自然に変化しているように見え、光演出効果を高めることができる。
【００４８】
拡散カバー13の中央領域13aは、副光源16の光色が青色であっても、この青色と主光源15から出射した白色光とが混色することで、空色に近い青色となる。この場合、照明装置10を見上げた人は、空が連想されやすく、開放感やリラックス感が得られやすくなる。
【００４９】
したがって、照明装置10によれば、主光源15からの光による主照明の機能を維持しながら、光演出効果を得ることができる。
【００５０】
さらに、拡散カバー13の中央領域13aが器具本体12の内側に窪むように湾曲しているため、副光源16からの光で光る拡散カバー13の中央領域13aが遠くにあるような奥行き感や開放感が得られやすく、光演出効果を向上できる。
【００５１】
次に、主光源15を調色する場合について、制御部53による主光源15および副光源16の制御を、図１を参照して説明する。図１の横軸は主光源15の相関色温度、縦軸は主光源15および副光源16の光の強さを示している。
【００５２】
主光源15の相関色温度が最も低い２７００Ｋの場合には、第１の主光源15aの光の割合は略０％、第２の主光源15bの光の割合は１００％である。また、主光源15の相関色温度が最も高い５０００Ｋの場合には、第１の主光源15aの光の割合は１００％、第２の主光源15bの光の割合は０％に近い小さい値にある。図１は便宜上、主光源15の出力が一定となるように相関色温度が２７００Ｋから５０００Ｋまで変化するときの第１の主光源15aおよび第２の主光源15bの光の強さおよび副光源16の光の強さを示している。したがって、本実施形態では相関色温度を一定にした状態で主光源15の光出力を変化させることも可能である。
【００５３】
そして、主光源15の明るさが一定（照度が一定）で、主光源15の相関色温度を調色する場合、相関色温度を２７００Ｋから高くしていくと、第１の主光源15aの光が増加し、第２の主光源15bの光が減少していく。このとき、相関色温度の上昇とともに、出射光に含まれる割合が増加する色成分を主光源15に含まれる所定の色成分とする。本実施形態では所定の色成分を青色成分として説明する。同様に、相関色温度を５０００Ｋから低くしていくと、第１の主光源15aの光が減少し、第２の主光源15bの光が増加していく。このとき、上述した通り相関色温度の低下とともに、出射光に含まれる所定の色成分の割合は減少する。したがって、第１の主光源15aの光の増減と第２の主光源15bの光の増減とが逆転していることにより、主光源15の明るさが一定（照度が一定）で、主光源15の相関色温度が調色される。
【００５４】
また、第１の主光源15aと第２の主光源15bとの光が混光したときの相関色温度が所定値よりも小さい場合、すなわち所定の色成分の光が含まれる割合が所定値よりも小さい場合、第１の主光源15aの光の増加に準じて、副光源16の光を増減する。つまり、第１の主光源15aの光が増加して相関色温度が高くなるとき、言い換えると主光源15に含まれる所定の色成分の割合が高くなるときには副光源16の光も増加し、第１の主光源15aの光が減少し相関色温度が低くなるとき、言い換えると所定の色成分の光が含まれる割合が所定値よりも小さいときには副光源16の光も減少する。
【００５５】
これにより、発光面13Dの端部領域13bが昼光色になっていくのに伴って発光面13Dの中央領域13aの青色感を強くし、青空のような演出効果が得られ、また、発光面13Dの端部領域13bが電球色になっていくのに伴って発光面13Dの中央領域13aの青色感を弱くし、夕焼け空のような演出効果を得ることができる。
【００５６】
また、第１の主光源15aと第２の主光源15bとの光が混光したときの相関色温度が所定値よりも大きい場合、すなわち所定の色成分の光が含まれる割合が所定値よりも大きい場合、副光源16の光の増減を、第１の主光源15aの光の増減に対して逆転させる。つまり、第１の主光源15aの光が増加して相関色温度が高くなるとき、言い換えると主光源15に含まれる所定の色成分の割合が高くなるときには副光源16の光が減少し、第１の主光源15aの光が減少して相関色温度が低くなるとき、言い換えると所定の色成分の光が含まれる割合が小さくなるときには副光源16の光が増加する。なお、主光源15に含まれる所定の色成分の割合が所定値を超えたときには副光源16の光出力を低下させる態様については種々選択することができる。例えば、主光源15の出射光に含まれる所定の色成分の増加に伴って一定の割合で減少させても良いし、任意の相関色温度のときに消灯させてもよい。
【００５７】
これにより、発光面13Dの端部領域13bに、例えば４５００Ｋ以上の高い相関色温度の白色光が照射されるのに伴って、発光面13Dの中央領域13aが青くなり過ぎて違和感が生じ、演出効果が得られなくなるのを防止できる。
【００５８】
なお、所定値Ａは、主光源15の出力が一定となるように相関色温度を２７００Ｋから５０００Ｋまで変化させたときに、所定の色成分の割合が所定値になるときの第１の主光源15aの光の強さである。所定値Ａのときの副光源16の光の強さは発光面13Dに形成される空の演出効果が得られるとともに違和感を感じないような値に適宜設定される。また、所定の相関色温度のときの副光源16の光の強さは、主光源15の出力が小さいほど小さくなり、その具体的な数値は適宜設定することができ、その値を変更することもできる。
【００５９】
したがって、照明装置10によれば、主光源15の調色時に、副光源16を適切に制御することができ、そのため、照明装置10の発光面13Dで違和感のない演出効果が得られる。
【００６０】
次に、図８に第２の実施形態を示す。なお、第１の実施形態と同じ構成については同じ
符号を用い、その構成および作用効果についての説明を省略する。
【００６１】
図８の横軸は主光源15の相関色温度、縦軸は主光源15および副光源16の光の強さを示している。
【００６２】
上述したように、制御部53により、主光源15は、明るさが一定（照度が一定）で、相関色温度が調色され、また、調色に応じて副光源16も制御される。
【００６３】
本実施形態では主光源15に含まれる所定の色成分を赤色として説明する。第２の主光源15bの光が所定値Ｂよりも小さい場合、主光源15に含まれる所定の色成分の割合が所定値よりも小さいときに第２の主光源15bの光の増加に準じて、副光源16の光を増減する。つまり、第２の主光源15bの光が増加して相関色温度が低くなるときには副光源16の光も増加し、第２の主光源15bの光が減少して相関色温度が高くなるときには副光源16の光も減少する。
【００６４】
これにより、発光面13Dの端部領域13bが電球色になっていくのに伴って発光面13Dの中央領域13aにおいて、日中から夕方にかけての空のような演出効果が得られ、また、発光面13Dの端部領域13bが昼光色になっていくのに伴って発光面13Dの中央領域13aの赤色が弱くなって、違和感を感じることがないようにすることができる。
【００６５】
また、第２の主光源15bの光が所定値Ｂよりも大きい場合、すなわち主光源15に含まれる所定の色成分の割合が所定値よりも大きい場合、副光源16の光の増減を、第２の主光源15bの光の増減に対して逆転させる。つまり、第２の主光源15bの光が増加して相関色温度が低くなるときには副光源16の光が減少し、第２の主光源15bの光が減少して相関色温度が高くなるときには副光源16の光が増加する。
【００６６】
これにより、発光面13Dの端部領域13bの電球色感が強くなったときには、発光面13Dの中央領域13aが赤くなり過ぎるのを防止し、違和感のない夕焼け空のような演出効果が得られるようにできる。
【００６７】
そして、所定値Ｂは、発光面13Dに形成される空の演出効果が得られるとともに違和感を感じないような値に適宜設定され、例えば相関色温度が３０００Ｋのところが好ましい。
【００６８】
したがって、照明装置10によれば、主光源15の調色時に、副光源16を適切に制御することができ、そのため、照明装置10の発光面13Dで違和感のない演出効果が得られる。
【００６９】
次に、図９に第３の実施形態を示す。なお、第１の実施形態と同じ構成については同じ符号を用い、その構成および作用効果についての説明を省略する。
【００７０】
図９の横軸は主光源15の相関色温度、縦軸は主光源15および副光源16の光の強さを示している。
【００７１】
上述したように、制御部53により、主光源15は、明るさが一定（照度が一定）で、相関色温度が調色され、また、調色に応じて副光源16も制御される。
【００７２】
所定値としては、第１の主光源15aの光の大きさを閾値となる第１の所定値C1と、第２の主光源15bの光を大きさの閾値となる第２の所定値C2が設けられている。
【００７３】
第１の主光源15aの光が第１の所定値C1よりも小さいとともに第２の主光源15bの光が第
２の所定値C2よりも小さい場合、副光源16の光を一定、または相関色温度の上昇に伴って僅かに上昇または下降するものとする。
【００７４】
また、第１の主光源15aの光が第１の所定値C1よりも大きい場合、第１の主光源15aの光の増減に対して逆転させて副光源16の光を増減する。つまり、第１の主光源15aの光が増加して相関色温度が高くなるときには副光源16の光が減少し、第１の主光源15aの光が減少し、第２の主光源15bの光が増加して相関色温度が低くなるときには副光源16の光が増加する。
【００７５】
これにより、発光面13Dの端部領域13bが昼光色になっていくのに伴って、発光面13Dの中央領域13aが青くなり過ぎるのを防止できる。
【００７６】
また、第２の主光源15bの光が所定値C2よりも大きい場合、つまり主光源15の出射光に所定の色成分が含まれる割合が所定値以下のときには副光源16の光が減少する。
【００７７】
これにより、発光面13Dの端部領域13bの電球色感が強くなったときには、発光面13Dの中央領域13aの青色感を弱くし、夕焼け空のような演出効果が得られるようにできる。つまり、発光面13Dの端部領域13bの電球色感が強くなっていくのに、発光面13Dの中央領域13aの青色で光ってしまうと、夕焼け空のような演出効果が得られなくなるのを防止できる。
【００７８】
そして、所定値C1，C2は、発光面13Dに形成される空の演出効果が得られるとともに違和感を感じないような値に適宜設定される。第１の所定値C1は、例えば相関色温度が４５００Ｋのところが好ましく、第２の所定値C2は、例えば相関色温度が３５００Ｋのところが好ましい。
【００７９】
したがって、照明装置10によれば、主光源15の調色時に、副光源16を適切に制御することができ、そのため、照明装置10の発光面13Dで違和感のない演出効果が得られる。
【００８０】
次に、図１０に第４の実施形態を示す。なお、第３の実施形態と同じ構成については同じ符号を用い、その構成および作用効果についての説明を省略する。
【００８１】
図１０の横軸は主光源15の相関色温度、縦軸は主光源15および副光源16の光の強さを示している。
【００８２】
上述した図９の第３の実施形態に対して、第１の主光源15aの光が第１の所定値C1よりも小さいとともに第２の主光源15bの光が第２の所定値C2よりも小さい場合、第１の主光源15aの増減に準じて、あるいは、第２の主光源15bの増減に逆転させて、副光源16の光を増加させる。
【００８３】
これにより、発光面13Dの端部領域13bが電球色から昼光色に変化する場合、発光面13Dの中央領域13aの青色感を強くし、青空のような演出効果を得ることができる。
【００８４】
次に、図１１に第５の実施形態を示す。なお、第３の実施形態と同じ構成については同じ符号を用い、その構成および作用効果についての説明を省略する。
【００８５】
図１１の横軸は主光源15の相関色温度、縦軸は主光源15および副光源16の光の強さを示している。
【００８６】
上述した図９の第３の実施形態に対して、第１の主光源15aの光が第１の所定値C1より
も小さいとともに第２の主光源15bの光が第２の所定値C2よりも小さい場合、第２の主光源15bの増減に準じて、あるいは、第１の主光源15aの増減に逆転させて、副光源16の光を増加させる。
【００８７】
これにより、第１の主光源15aの光が強くなるにつれて、その光で発光面13Dの中央領域13aがより青色感が出るため、第２の主光源16の光を弱くすることにより、発光面13Dの中央領域13aが青色感を一定に保つことができる。
【００８８】
次に、図１２および図１３に第６の実施形態を示す。なお、上述した各実施形態と同じ構成については同じ符号を用い、その構成および作用効果についての説明を省略する。
【００８９】
図１３に示すように、副光源16は、青色の光を発光する第１の副光源16a、および赤色の光を発光する第２の副光源16bを備える。また、副電源部として、第１の副光源16aに電源を供給する第１の副電源部52a、および第２の副光源16bに電源を供給する第２の副電源部52bを備える。
【００９０】
図１２の横軸は主光源15の相関色温度、縦軸は主光源15および副光源16の光の強さを示している。
【００９１】
上述したように、制御部53により、主光源15は、明るさが一定（照度が一定）で、相関色温度が調色され、また、調色に応じて副光源16も制御される。
【００９２】
所定値としては、第１の主光源15aの光の大きさを閾値となる第１の所定値C1と、第２の主光源15bの光を大きさの閾値となる第２の所定値C2が設けられている。
【００９３】
そして、第１の主光源15aの光が第１の所定値C1よりも小さい場合、第１の主光源15aの光の増加に準じて、第１の副光源16aの光を増減する。つまり、第１の主光源15aの光が増加して相関色温度が高くなるときには第１の副光源16aの光も増加し、第１の主光源15aの光が減少し相関色温度が低くなるときには第１の副光源16aの光も減少する。これにより、発光面13Dの端部領域13bが昼光色になっていくのに伴って発光面13Dの中央領域13aの青色感を強くし、青空のような演出効果が得られ、また、発光面13Dの端部領域13bが電球色になっていくのに伴って発光面13Dの中央領域13aの青色感を弱くし、夕焼け空のような演出効果を得ることができる。
【００９４】
さらに、第２の主光源15bの光が第２の所定値C2よりも小さい場合、第２の主光源15bの光の増加に準じて、第２の副光源16bの光を増減する。つまり、第２の主光源15bの光が増加して相関色温度が低くなるときには第２の副光源16bの光も増加し、第２の主光源15bの光が減少して相関色温度が高くなるときには第２の副光源16bの光も減少する。これにより、発光面13Dの端部領域13bが電球色になっていくのに伴って発光面13Dの中央領域13aの赤色感を強くし、日中から夕方にかけての空のような演出効果が得られ、また、発光面13Dの端部領域13bが昼光色になっていくのに伴って発光面13Dの中央領域13aの赤色感を弱くし、違和感を感じることがないようにすることができる。
【００９５】
また、第１の主光源15aの光が第１の所定値C1よりも大きい場合、第１の副光源16aの光の増減を、第１の主光源15aの光の増減に対して逆転させる。つまり、第１の主光源15aの光が増加して相関色温度が高くなるときには第１の副光源16aの光が減少し、第１の主光源15aの光が減少して相関色温度が低くなるときには第１の副光源16aの光が増加する。これにより、発光面13Dの端部領域13bが昼光色になっていくのに伴って、発光面13Dの中央領域13aの青くなり過ぎるのを防止し、演出効果が得られなくなるのを防止できる。
【００９６】
また、第２の主光源15bの光が第２の所定値C2よりも大きい場合、第２の副光源16bの光の増減を、第２の主光源15bの光の増減に対して逆転させる。つまり、第２の主光源15bの光が増加して相関色温度が低くなるときには第２の副光源16bの光が減少し、第２の主光源15bの光が減少して相関色温度が高くなるときには第２の副光源16bの光が増加する。これにより、発光面13Dの端部領域13bの電球色感が強くなったときには、発光面13Dの中央領域13aが赤くなり過ぎるのを防止し、違和感のない夕焼け空のような演出効果が得られるようにできる。
【００９７】
なお、各実施形態において、拡散カバー13は、中心を頂部として周辺部に向けて湾曲する球面状に形成してもよい。この場合、拡散カバー13の周辺部は、四角形状および円形状のいずれでもよい。さらに、主光源15は、器具本体12の側面全周域に設けて、拡散カバー13の外径側から拡散カバー13に白色光を照射するようにすればよい。
【００９８】
また、拡散カバー13は、平板状でもよく、あるいは、中央領域13aが器具本体12から突出するように湾曲していてもよい。
【００９９】
また、器具本体12の拡散カバー13の中央領域13aに対向してプロジェクタを配設し、拡散カバー13の中央領域13aに対して例えば雲などの映像を投影するようにしてもよい。この場合、福光源16は、主光源15とともに器具本体12の端部側に設けて、光を拡散カバー13の中央領域13aと端部領域13bとの間に照射するようによればよい。
【０１００】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１０１】
10    照明装置
15    主光源
16    副光源
53    制御部
60    照明制御システム
61    制御装置
Ａ，Ｂ    所定値
C1    第１の所定値
C2    第２の所定値
【図１】
2020057632.tif 000003
【図２】
2020057632.tif 000004
【図３】
2020057632.tif 000005
【図４】
2020057632.tif 000006
【図５】
2020057632.tif 000007
【図６】
2020057632.tif 000008
【図７】
2020057632.tif 000009
【図８】
2020057632.tif 000010
【図９】
2020057632.tif 000011
【図１０】
2020057632.tif 000012
【図１１】
2020057632.tif 000013
【図１２】
2020057632.tif 000014
【図１３】
2020057632.tif 000015